Podtech/llm-jp-corpus-v4-ja_patent huggingface dataset:
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
近距離無線通信を行う通信手段及び撮像手段を有する撮像装置であって、
前記通信手段を介して位置情報を提供する第１の外部機器と通信している状態で前記撮像手段による撮像を行った場合、撮像して得た画像と前記第１の外部機器から受信した位置情報とを関連付けて所定の記憶媒体に記録する記録手段と、
前記第１の外部機器との通信を中断する所定の状況になった場合、前記第１の外部機器と切断状態で撮像する画像の位置情報を確保するため、前記第１の外部機器に対して位置情報の取得の継続の要求を送信する制御手段と
を有することを特徴とする撮像装置。
【請求項２】
前記制御手段は、前記第１の外部機器よりも優先度の高い第２の外部機器からの接続要求を受信した場合を前記所定の状況として判定することを特徴とする請求項１に記載の撮像装置。
【請求項３】
前記第２の外部機器は、前記撮像装置を遠隔操作するリモートコントローラであることを特徴とする請求項２に記載の撮像装置。
【請求項４】
前記制御手段は、前記第１の外部機器との通信の電波強度が予め設定された閾値を下回った場合を前記所定の状況として判定することを特徴とする請求項１に記載の撮像装置。
【請求項５】
更に、前記通信手段とは排他的に機能する第２の通信手段を有し、
前記制御手段は、前記通信手段から前記第２の通信手段による通信に切り換える場合を前記所定の状況として判定することを特徴とする請求項１に記載の撮像装置。
【請求項６】
前記制御手段は、撮像装置の存在を近傍に位置する外部機器に通知するためのビーコンを前記通信手段を介して送信する送信手段を含むことを特徴とする請求項１に記載の撮像装置。
【請求項７】
前記送信手段は、前記第１の外部機器との通信が切断状態にて、前記撮像手段による撮像を行う度に撮像時刻を含む前記ビーコンを送信する
ことを特徴とする請求項６に記載の撮像装置。
【請求項８】
前記送信手段は、更に撮像画像のファイル名を含む前記ビーコンを送信する
ことを特徴とする請求項７に記載の撮像装置。
【請求項９】
前記制御手段は、
前記第１の外部機器との通信が切断状態から再接続の状態となった場合、切断状態で撮像した画像の撮像時刻における位置情報を前記第１の外部機器に要求し、当該要求によって得られた位置情報を前記画像に関連付けて前記記憶媒体に記録する手段を含む
ことを特徴とする請求項１乃至８のいずれか１項に記載の撮像装置。
【請求項１０】
近距離無線通信を行う通信手段及び位置情報を取得する取得手段とを有する情報処理装置であって、
前記取得手段より取得した位置情報を、前記通信手段を介して通信中の撮像装置に送信する送信手段と、
前記通信中の前記撮像装置から通信の切断を行う前の所定の要求を受信した場合、前記撮像装置との再接続が行われるまでの期間、前記取得手段で得た位置情報を記録する記録手段と
を有することを特徴とする情報処理装置。
【請求項１１】
前記記録手段は、前記撮像装置との通信が切断状態にて、前記撮像装置から所定のビーコンを受信している期間にて取得した位置情報を記録する
ことを特徴とする請求項１０に記載の情報処理装置。
【請求項１２】
前記記録手段は、前記ビーコンに、前回と異なる撮像時刻が含まれる場合、当該撮像時刻で取得した位置情報を記録することを特徴とする請求項１１に記載の情報処理装置。
【請求項１３】
前記記録手段は、前記ビーコンに、撮像の時刻と画像のファイル名が含まれる場合、当該時刻で取得した位置情報と前記ファイル名とを対応づけて記録することを特徴とする請求項１１に記載の情報処理装置。
【請求項１４】
更に、前記撮像装置と再接続した場合、前記記録手段で記録された位置情報の中から、前記撮像装置から要求された時刻の位置情報を前記撮像装置に送信する第２の送信手段と
を有することを特徴とする請求項１０乃至１３のいずれか１項に記載の情報処理装置。    
【請求項１５】
近距離無線通信を行う通信手段及び撮像手段を有する撮像装置の制御方法であって、
前記通信手段を介して位置情報を提供する第１の外部機器と通信している状態で前記撮像手段による撮像を行った場合、撮像して得た画像と前記第１の外部機器から受信した位置情報とを関連付けて所定の記憶媒体に記録する記録工程と、
前記第１の外部機器との通信を中断する所定の状況になった場合、前記第１の外部機器と切断状態で撮像する画像の位置情報を確保するため、前記第１の外部機器に対して位置情報の取得の継続の要求を送信する制御工程と
を有することを特徴とする撮像装置の制御方法。
【請求項１６】
近距離無線通信を行う通信手段及び位置情報を取得する取得手段とを有する情報処理装置の制御方法であって、
前記取得手段より取得した位置情報を、前記通信手段を介して通信中の撮像装置に送信する送信工程と、
前記通信中の前記撮像装置から通信の切断を行う前の所定の要求を受信した場合、前記撮像装置との再接続が行われるまでの期間、前記取得手段で得た位置情報を記録する記録工程と
を有することを特徴とする情報処理装置の制御方法。
【請求項１７】
コンピュータが読み込み実行することで、前記コンピュータに、請求項１５又は１６に記載の方法が有する各工程を実行させるためのプログラム。
【請求項１８】
近距離無線通信を行う第１の通信手段及び撮像手段を有する撮像装置、及び、近距離無線通信を行う第２の通信手段及び位置情報を取得する取得手段とを有する情報処理装置を有する情報処理システムであって、
前記撮像装置は、
前記第１の通信手段を介して位置情報を提供する前記情報処理装置と通信している状態で前記撮像手段による撮像を行った場合、撮像して得た画像と前記情報処理装置から受信した位置情報とを関連付けて所定の記憶媒体に記録する記録手段と、
前記情報処理装置との通信を中断する所定の状況になった場合、前記情報処理装置と切断状態で撮像する画像の位置情報を確保するため、前記情報処理装置に対して位置情報の取得の継続の要求を送信する制御手段と
を有し、
前記情報処理装置は、
前記取得手段より取得した位置情報を、前記第２の通信手段を介して通信中の撮像装置に送信する送信手段と、
前記通信中の前記撮像装置から通信の切断を行う前の所定の要求を受信した場合、前記撮像装置との再接続が行われるまでの期間、前記取得手段で得た位置情報を記録する記録手段と
を有することを特徴とする情報処理システム。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
麻酔薬剤の入ったカートリッジをシリンジで押し出すことにより前記麻酔薬剤を押し出す麻酔シリンジ本体に取り付けられた中空針の先端に取り付けられ、
前記中空針が挿入されることにより前記中空針の先端に固定される固定部と、
前記カートリッジ内に挿通される中空針と、
前記中空針の先端に接続され、前記麻酔薬剤を広げる拡散空間と、
前記拡散空間から前記麻酔薬剤を排出する貫通孔が形成された複数のマイクロニードルと
を有することを特徴とするアプリケータ。
【請求項２】
前記中空針は、
麻酔薬剤の入ったカートリッジをシリンジで押し出すことにより前記麻酔薬剤を押し出す麻酔シリンジ本体の先端に装着されるキャップの先端に設けられ、
前記アプリケータは、
前記キャップ本体に取り付けられている
ことを特徴とする請求項１に記載のアプリケータ。
【手続補正２】
【補正対象書類名】明細書
【補正対象項目名】発明の名称
【補正方法】変更
【補正の内容】
【発明の名称】アプリケータ
【手続補正３】
【補正対象書類名】明細書
【補正対象項目名】０００１
【補正方法】変更
【補正の内容】
【０００１】
本発明は、例えば歯科麻酔に使用されるアプリケータに使用して好適なものである。
【手続補正４】
【補正対象書類名】明細書
【補正対象項目名】０００５
【補正方法】変更
【補正の内容】
【０００５】
本発明はこのような問題を解決するためになされたもので、その目的は、患者の精神的
負担を緩和することができるアプリケータを提供するものである。
【手続補正５】
【補正対象書類名】明細書
【補正対象項目名】０００６
【補正方法】変更
【補正の内容】
【０００６】
かかる課題を解決するため、本発明のアプリケータは、
麻酔薬剤の入ったカートリッジをシリンジで押し出すことにより前記麻酔薬剤を押し出す麻酔シリンジ本体に取り付けられた中空針の先端に取り付けられ、
前記中空針が挿入されることにより前記中空針の先端に固定される固定部と、
前記カートリッジ内に挿通される中空針と、
前記中空針の先端に接続され、前記麻酔薬剤を広げる拡散空間と、
前記拡散空間から前記麻酔薬剤を排出する貫通孔が形成された複数のマイクロニードルとを有することを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明は、患者の精神的負担を緩和することができるアプリケータを実現できる。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
第１の撮像装置で撮像された第１の画像データと、前記第１の撮像装置とは別装置である第２の撮像装置で撮像された第２の画像データを取得する取得手段と、
前記第１の画像データを撮像する際に用いた撮像光学系の焦点距離、前記第１の画像データの画素数、前記第２の画像データを撮像する際に用いた撮像光学系の焦点距離および前記第２の画像データの画素数に基づいて、前記第１の画像データの被写体の座標と前記第２の画像データの前記被写体の座標を合わせるための演算を行う処理手段と、を備える
ことを特徴とする画像処理装置。
【請求項２】
前記処理手段は、前記第１の画像データと前記第２の画像データにおける被写体の大小関係が変化した場合に、前記演算を行う
ことを特徴とする請求項１に記載の画像処理装置。
【請求項３】
前記処理手段は、前記第１の画像データを撮像する際に用いた撮像光学系の焦点距離、前記第１の画像データの画素数、前記第２の画像データを撮像する際に用いた撮像光学系の焦点距離および前記第２の画像データの画素数に基づいて、前記第１の画像データと前記第２の画像データにおける同一の被写体を同サイズに変更する比率を算出し、前記比率を用いて前記第１の画像データと前記第２の画像データの少なくとも一方のリサイズを行い、前記第１の画像データに含まれる被写体の座標と前記第２の画像データに含まれる同一の被写体の座標との位置合わせを行う
ことを特徴とする請求項１または２に記載の画像処理装置。
【請求項４】
前記処理手段は、前記第１の画像データを撮像する際に用いた撮像光学系の焦点距離が変更されたときに前記リサイズおよび前記位置合わせを行う
ことを特徴とする請求項３に記載の画像処理装置。
【請求項５】
前記処理手段は、前記第１の画像データを撮像する際に用いた撮像光学系の焦点距離、前記第１の画像データの画素数、前記第２の画像データを撮像する際に用いた撮像光学系の焦点距離、前記第２の画像データの画素数、前記第１の撮像装置に対応する被写体までの第１の距離情報および前記第２の撮像装置に対応する被写体までの第２の距離情報に基づいて前記比率を算出する
ことを特徴とする請求項３または請求項４に記載の画像処理装置。
【請求項６】
前記処理手段は、前記第１の距離情報および前記第２の距離情報の少なくとも一方が変化したときに前記リサイズおよび位置合わせを行う
ことを特徴とする請求項５に記載の画像処理装置。
【請求項７】
前記第１の画像データは、前記第２の画像データとは異なる画角で撮影された画像データであり、
前記処理手段は、前記画角の差異を示す情報を付加情報として前記第１の画像データと前記第２の画像データの少なくとも一方と関連づける処理を行う
ことを特徴とする請求項１から６のいずれか１項に記載の画像処理装置。
【請求項８】
前記処理手段は、前記リサイズおよび前記位置合わせを行った前記第１の画像データおよび前記第２の画像データを合成し、合成された画像のデータを表示装置に出力する
ことを特徴とする請求項３から６のいずれか１項に記載の画像処理装置。
【請求項９】
第１の画像データを生成する第１の撮像素子と、
請求項１から８のいずれか１項に記載の画像処理装置と、を備え、
前記取得手段は、前記第２の撮像装置から通信を介して、前記第１の撮像素子とは別の撮像素子である第２の撮像素子で生成された前記第２の画像データ、前記第２の画像データを撮像する際に用いた撮像光学系の焦点距離および前記第２の画像データの画素数を取得する
ことを特徴とする撮像装置。
【請求項１０】
前記第１の画像データを撮像する際に用いた撮像光学系の焦点距離は、前記第２の画像データを撮像する際に用いた撮像光学系の焦点距離よりも長い
ことを特徴とする請求項９に記載の撮像装置。
【請求項１１】
画像処理装置にて実行される画像処理方法であって、
第１の撮像装置で撮像された第１の画像データと、前記第１の撮像装置とは別装置である第２の撮像装置で撮像された第２の画像データを取得する工程と、
前記第１の画像データを撮像する際に用いた撮像光学系の焦点距離、前記第１の画像データの画素数、前記第２の画像データを撮像する際に用いた撮像光学系の焦点距離および前記第２の画像データの画素数に基づいて、前記第１の画像データの被写体の座標と前記第２の画像データの前記被写体の座標を合わせるための演算を行う工程と、を有する
ことを特徴とする画像処理方法。
【手続補正２】
【補正対象書類名】明細書
【補正対象項目名】０００６
【補正方法】変更
【補正の内容】
【０００６】
本発明の一実施形態の画像処理装置は、第１の撮像装置で撮像された第１の画像データと、前記第１の撮像装置とは別装置である第２の撮像装置で撮像された第２の画像データを取得する取得手段と、前記第１の画像データを撮像する際に用いた撮像光学系の焦点距離、前記第１の画像データの画素数、前記第２の画像データを撮像する際に用いた撮像光学系の焦点距離および前記第２の画像データの画素数に基づいて、前記第１の画像データの被写体の座標と前記第２の画像データの前記被写体の座標を合わせるための演算を行う処理手段と、を備える。
【手続補正３】
【補正対象書類名】明細書
【補正対象項目名】発明の名称
【補正方法】変更
【補正の内容】
【発明の名称】画像処理装置および画像処理方法、撮像装置
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
媒体の画像を読み取る読取部と、
媒体載置部に載置される前記媒体を前記読取部に向けて給送する場合に、複数枚の媒体が重ねられた媒体束を分離して給送する分離給送を行う第１給送モードと、前記媒体束を分離せずに纏めて給送する非分離給送を行う第２給送モードと、を選択可能な媒体給送部と、
前記媒体給送部の媒体給送方向下流側に設けられる駆動ローラーと、
前記駆動ローラーの回転に従動回転する従動ローラーと、を備え、
前記媒体給送部が、前記第２給送モードで給送を行う場合には、前記従動ローラーを、前記媒体を搬送する回転方向に駆動する、
ことを特徴とする画像読取装置。
【請求項２】
媒体の画像を読み取る読取部と、
媒体載置部に載置される前記媒体を前記読取部に向けて給送する場合に、複数枚の媒体が重ねられた媒体束を分離して給送する分離給送を行う第１給送モードと、前記媒体束を分離せずに纏めて給送する非分離給送を行う第２給送モードと、を選択可能な媒体給送部と、
前記媒体給送部の媒体給送方向下流側に設けられる駆動ローラーと、
前記駆動ローラーの回転に従動回転する従動ローラーと、を備え、
前記媒体給送部が、前記第２給送モードで給送を行う場合には、前記従動ローラーが前記駆動ローラーに対して与える接触荷重を、前記第１給送モードを実行する場合における前記接触荷重よりも小さくする、
ことを特徴とする画像読取装置。
【請求項３】
請求項２に記載の画像読取装置において、
前記従動ローラーが前記駆動ローラーに対して前記接触荷重を与える方向に沿って変位可能なバネ支持部と、前記バネ支持部と前記従動ローラーとの間に設けられ、前記従動ローラーを押圧する押圧バネと、を備える荷重付与手段を備え、
前記バネ支持部を変位させることにより、前記接触荷重を調整する、
ことを特徴とする画像読取装置。
【請求項４】
請求項２に記載の画像読取装置において、
前記従動ローラーは、前記駆動ローラーから離間可能に構成され、
前記媒体給送部が、前記第２給送モードで給送を行う場合に、前記従動ローラーが前記駆動ローラーから離間する、
ことを特徴とする画像読取装置。
【請求項５】
請求項１から請求項４のいずれか一項に記載の画像読取装置において、
前記媒体給送部は、
前記媒体を給送する給送ローラーと、
前記給送ローラーに接触する接触状態と、前記給送ローラーから離間する離間状態と、の間で変位可能に構成される分離ローラーと、を備え、
前記媒体給送部が、前記第１給送モードで給送を行う場合に、前記分離ローラーを前記接触状態にして、前記媒体を前記読取部による読み取り方向に送る場合の回転方向である正回転方向とは逆の逆回転方向に回転駆動させ、
前記媒体給送部が、前記第２給送モードで給送を行う場合に、前記分離ローラーを前記離間状態にする、
ことを特徴とする画像読取装置。
【請求項６】
請求項５に記載の画像読取装置において、
前記媒体給送部と、前記媒体給送部に最も近い位置にある前記駆動ローラーと、の間に設けられて、前記媒体を検出する媒体検出部を備え、
前記媒体検出部が、前記媒体給送部が前記第２給送モードで給送する媒体の先端の通過を検出した場合に、前記分離ローラーを前記接触状態にして、前記正回転方向に回転駆動する、
ことを特徴とする画像読取装置。
【請求項７】
請求項１から請求項４のいずれか一項に記載の画像読取装置において、
前記媒体給送部は、
前記媒体を給送する給送ローラーと、
少なくとも前記媒体を前記読取部による読み取り方向に送る場合の回転方向である正回転方向とは逆の逆回転方向に回転駆動される分離ローラーと、
歯合する複数の歯車によって構成される輪列を有し、前記分離ローラーに駆動源からの動力を伝達する動力伝達機構と、を備え、
前記媒体給送部が、前記第２給送モードで給送を行う場合に、前記輪列を構成する複数の歯車の一部の歯合が解除される、
ことを特徴とする画像読取装置。
【請求項８】
請求項１から請求項７のいずれか一項に記載の画像読取装置において、
前記読取部は、前記媒体給送部が送る前記媒体の第１面を読み取る第１読取部と、前記第１面の反対面である第２面を読み取る第２読取部と、を備え、前記第１読取部と前記第２読取部との間隔を変更可能に構成され、
前記媒体給送部が、前記第２給送モードを実行する場合の前記間隔を、前記第１給送モードを実行する場合の前記間隔よりも広くする、
ことを特徴とする画像読取装置。
【請求項９】
請求項１から請求項８のいずれか一項に記載の画像読取装置において、
ページめくり機構を有する前記従動ローラーを備える、
ことを特徴とする画像読取装置。
【請求項１０】
請求項９に記載の画像読取装置において、
前記ページめくり機構は、前記媒体を前記読取部による読み取り方向とは逆方向に搬送する逆回転方向に回転駆動される前記従動ローラーによって、前記媒体束の最上位の媒体をめくる構成である、
ことを特徴とする画像読取装置。
【請求項１１】
媒体の画像を読み取る読取部と、
前記媒体を前記読取部に向けて給送する場合に、複数枚の前記媒体を分離して給送する分離給送と、複数枚の前記媒体を分離せずに給送する非分離給送が可能な画像読取装置であって、
前記読取部に対し媒体搬送方向上流に位置する、第１駆動ローラーと第１従動ローラーとを有する第１ローラー対と、
前記読取部に対し媒体搬送方向下流に位置する、第２駆動ローラーと第２従動ローラーとを有する第２ローラー対と、を備え、
前記非分離給送時には、前記第１従動ローラーおよび前記第２従動ローラーを、前記媒体を搬送する回転方向に駆動することを特徴とする画像読取装置。
【請求項１２】
媒体の画像を読み取る読取部と、
前記媒体を前記読取部に向けて給送する場合に、複数枚の前記媒体を分離して給送する分離給送と、複数枚の前記媒体を分離せずに給送する非分離給送が可能な画像読取装置であって、
前記読取部に対し媒体搬送方向上流に位置する、第１駆動ローラーと第１従動ローラーとを有する第１ローラー対と、
前記読取部に対し媒体搬送方向下流に位置する、第２駆動ローラーと第２従動ローラーとを有する第２ローラー対と、を備え、
前記非分離給送時には、前記第１ローラー対および前記第２ローラー対は、正回転方向に回転した後、逆回転方向に回転することを特徴とする画像読取装置。
【手続補正書】
【提出日】令和2年8月31日(2020.8.31)
【手続補正１】
【補正対象書類名】明細書
【補正対象項目名】００３０
【補正方法】変更
【補正の内容】
【００３０】
筐体部材１６１は、円筒状の円筒部１６１Ａと、当該円筒部１６１Ａの内壁から内側（中心軸Ｄの方向）に突出した３つの突出部１６１Ｂと、３つのボルトＢ１とそれぞれ螺合する３つの螺合孔１６１Ｃと、を備える。円筒部１６１Ａと３つの突出部１６１Ｂとは一体的に形成されている。
【手続補正２】
【補正対象書類名】明細書
【補正対象項目名】００４４
【補正方法】変更
【補正の内容】
【００４４】
また、突出部１６１Ｂ（先端面１６１ＢＡ）と螺合孔１６１Ｃとを、近傍、かつ、筐体部材１６１の径方向に沿って配列し、爪状突起１６２ＢＢ（湾曲面１６２ＢＢＡ）と貫通孔１６２Ｃとも、近傍、かつ、カバー１６２の径方向（筐体部材１６１の径方向）に沿って配列したので、カバー１６２を取り付ける際、ユーザは、螺合孔１６１Ｃ及び貫通孔１６２Ｃの位置から、先端面１６１ＢＡ及び湾曲面１６２ＢＢＡ（位置決め部分）の位置を把握しやすく、カバー１６２の位置決めをスムーズに行える。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
放送信号を受信する機能を有し、外部の端末装置からのアプリケーション起動命令を受信すると、アプリケーション情報テーブルを取得するよう要求する受信機機能部と、
前記受信機機能部からの前記アプリケーション情報テーブルの取得要求に応じて、前記アプリケーション情報テーブルを放送外から取得するアプリケーション情報テーブル管理機能部と、
前記アプリケーション情報テーブルに基づいて取得されるアプリケーションを起動し、当該アプリケーションの実行を制御するアプリケーション実行機能部と、
を具備することを特徴とする受信装置。
【請求項２】
放送信号を受信する機能を有し、前記放送信号に含まれるアプリケーション起動命令または放送外からのアプリケーション起動命令を受信すると、アプリケーション情報テーブルを取得するよう要求する受信機機能部と、
前記受信機機能部からの前記アプリケーション情報テーブルの取得要求に応じて、前記アプリケーション情報テーブルを放送外から取得するアプリケーション情報テーブル管理機能部と、
前記アプリケーション情報テーブルに基づいて取得されるアプリケーションを起動し、当該アプリケーションの実行を制御するアプリケーション実行機能部と、
前記放送信号および前記放送外の両方からそれぞれ前記アプリケーション起動命令を受信したときどのアプリケーション起動命令を優先させるかを判定する優先判定機能部と、
を具備する受信装置であって、
前記優先判定機能部は、前記受信装置の内部に設定された判定情報に基づいて、前記放送信号に含まれるアプリケーション起動命令と前記放送外からのアプリケーション起動命令とのどちらを優先させるかを判定する、
ことを特徴とする受信装置。
【請求項３】
放送信号を受信する機能を有し、前記放送信号に含まれるアプリケーション起動命令または放送外からのアプリケーション起動命令を受信すると、アプリケーション情報テーブルを取得するよう要求する受信機機能部と、
前記受信機機能部からの前記アプリケーション情報テーブルの取得要求に応じて、前記アプリケーション情報テーブルを放送外から取得するアプリケーション情報テーブル管理機能部と、
前記アプリケーション情報テーブルに基づいて取得されるアプリケーションを起動し、当該アプリケーションの実行を制御するアプリケーション実行機能部と、
前記放送信号および前記放送外の両方からそれぞれ前記アプリケーション起動命令を受信したときどのアプリケーション起動命令を優先させるかを判定する優先判定機能部と、
を具備し、
前記優先判定機能部は、予め定められた通りに固定的に、前記放送信号に含まれるアプリケーション起動命令と前記放送外からのアプリケーション起動命令とのいずれかを優先させる、
ことを特徴とする受信装置。
【請求項４】
コンピュータを、
請求項１から３までのいずれか一項に記載の受信装置として機能させるためのプログラム。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
撮像手段によって撮像された動画の画像フレームを取得する画像取得手段と、
前記取得手段によって取得された画像フレームから動体を検出する動体検出処理を行う動体検出手段と、
前記動体検出手段による前記動体検出処理の結果に基づいて、前記取得手段によって取得された画像フレームを符号化する符号化手段と
を有し、
前記符号化手段は、符号化対象の画像フレームよりも前の画像フレームにおける前記動体検出処理の結果に基づく動体領域が、前記符号化対象の画像フレームにおいて非動体領域となった変化領域を、他の非動体領域と異なる符号化制御又は符号化パラメータを用いて符号化する
ことを特徴とする画像処理装置。
【請求項２】
前記前の画像フレームは、前記符号化対象の画像フレームの直前の画像フレームである
ことを特徴とする請求項１に記載の画像処理装置。
【請求項３】
前記符号化手段は、前記変化領域を、前記他の非動体領域よりも、量子化ステップが小さくなる量子化パラメータを用いて符号化する
ことを特徴とする請求項１又は２に記載の画像処理装置。
【請求項４】
前記符号化手段は、前記変化領域に対して、フレーム間予測を用いないよう制限した符号化制御を用いて、前記符号化対象の画像フレームを符号化する
ことを特徴とする請求項１〜３のいずれか１項に記載の画像処理装置。
【請求項５】
前記符号化手段は、前記変化領域を、ＧＯＰ長に応じた量子化パラメータの値を用いて符号化する
ことを特徴とする請求項１〜４のいずれか１項に記載の画像処理装置。
【請求項６】
前記符号化手段は、前記変化領域に対して、前記他の非動体領域よりもブロック分割がされ易い条件の符号化制御を用いて、前記符号化対象の画像フレームを符号化する
ことを特徴とする請求項１〜５のいずれか１項に記載の画像処理装置。
【請求項７】
前記取得手段によって取得された画像フレームから背景画像を生成する背景画像生成手段と、
前記背景画像における各領域の複雑度を算出する複雑度算出手段と
を有し、
前記符号化手段は、前記複雑度に更に基づいて、前記変化領域の前記符号化制御又は符号化パラメータを決定する
ことを特徴とする請求項１〜６のいずれか１項に記載の画像処理装置。
【請求項８】
前記前の画像フレームにおける前記動体検出処理の結果に基づく前記動体領域が、前記符号化対象の画像フレームにおいて前記非動体領域となったかを判定する判定手段
を更に有することを特徴とする画像処理装置。
【請求項９】
撮像手段によって撮像された動画の画像フレームを取得する画像取得工程と、
前記取得工程によって取得された画像フレームから動体を検出する動体検出処理を行う動体検出工程と、
前記動体検出工程における前記動体検出処理の結果に基づいて、前記取得工程によって取得された画像フレームを符号化する符号化工程と
を有し、
前記符号化工程において、符号化対象の画像フレームよりも前の画像フレームにおける前記動体検出処理の結果に基づく動体領域が、前記符号化対象の画像フレームにおいて非動体領域となった変化領域を、他の非動体領域と異なる符号化制御又は符号化パラメータを用いて符号化する
ことを特徴とする画像処理方法。
【請求項１０】
請求項１〜８のいずれか１項に記載の画像処理装置の各手段としてコンピュータを機能させることを特徴とするプログラム。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
駆動部を駆動して、複数枚の原稿から原稿を１枚ずつ搬送する搬送手段と、
前記搬送手段によって搬送された原稿の画像を読み取る読取手段と、
前記読取手段によって原稿の画像を読み取ることで生成される画像データを外部の画像処理装置にファクス送信する送信手段と、
前記読取手段により原稿の画像を読み取ることで生成される画像データをファクス送信と異なる方法で出力する出力手段と、
前記複数枚の原稿の搬送が開始してから前記複数枚の原稿の読取が完了する前に、前記駆動部の駆動を所定の時間停止する搬送制御手段とを有し、
前記所定の時間は、前記読取手段によって前記原稿の画像を読み取りながら前記原稿を読み取ることによって生成される画像データを前記送信手段によってファクス送信する第１のジョブの実行中は、前記外部の画像処理装置が画像データを受信しない状態で回線が切断される基準時間より短い第１の時間であり、
前記所定の時間は、前記読取手段によって前記原稿の画像を読み取りながら前記原稿を読み取ることによって生成される画像データを前記出力手段によって出力する第２のジョブの実行中は、前記第１の時間より長い第２の時間であることを特徴とする画像処理装置。
【請求項２】
前記画像データを前記送信手段によってファクス送信している間、または前記画像データを前記出力手段によって出力している間、所定の条件が満たされるまで前記搬送制御手段は前記駆動部の駆動を停止せず、前記所定の条件が満たされたら、前記搬送制御手段は前記駆動部の駆動を停止することを特徴とする請求項１に記載の画像処理装置。
【請求項３】
前記搬送手段によって搬送される原稿の枚数をカウントするカウント手段をさらに有し、
前記所定の条件は、前記カウント手段によってカウントされた原稿の枚数が所定の枚数を超えたことであることを特徴とする請求項２に記載の画像処理装置。
【請求項４】
前記所定の枚数は、前記第１のジョブの実行中の方が、前記第２のジョブの実行中より少ないことを特徴とする請求項３に記載の画像処理装置。
【請求項５】
前記読取手段が前記複数枚の原稿の読取を完了してから経過した時間を計測する計測手段をさらに有し、
前記計測手段によって計測された時間に従って、前記カウント手段によってカウントされた枚数をリセットすることを特徴とする請求項３または４に記載の画像処理装置。
【請求項６】
前記出力手段は、前記読取手段によって原稿を読み取ることによって生成された画像データに基づいて印刷を行う印刷手段であり、
前記第２のジョブは、前記読取手段によって前記原稿を読み取ることによって生成された画像データを用いて前記印刷手段によって印刷を実行するジョブである
ことを特徴とする請求項１乃至５のいずれか１項に記載の画像処理装置。
【請求項７】
駆動部を駆動して、複数枚の原稿から原稿を１枚ずつ搬送する搬送工程と、
前記搬送工程で搬送された原稿の画像を読み取る読取工程と、
前記読取工程で原稿の画像を読み取ることで生成される画像データを外部の画像処理装置にファクス送信する送信工程と、
前記読取工程で原稿の画像を読み取ることで生成される画像データをファクス送信と異なる方法で出力する出力工程と、
前記複数枚の原稿の搬送が開始してから前記複数枚の原稿の読取が完了する前に、前記駆動部の駆動を所定の時間停止する搬送制御工程を有し、
前記所定の時間は、前記読取工程で前記原稿の画像を読み取りながら前記原稿を読み取ることによって生成される画像データを前記送信工程でファクス送信する第１のジョブの実行中は、前記外部の画像処理装置が画像データを受信しない状態で回線が切断される基準時間より短い第１の時間であり、
前記所定の時間は、前記読取工程で前記原稿の画像を読み取りながら前記原稿を読み取ることによって生成される画像データを前記出力工程で出力する第２のジョブの実行中は、前記第１の時間より長い第２の時間であることを特徴とする画像処理装置の制御方法。
【請求項８】
請求項７に記載された画像処理装置の制御方法を、コンピュータに実行させるためのプログラム。
【手続補正２】
【補正対象書類名】明細書
【補正対象項目名】０００１
【補正方法】変更
【補正の内容】
【０００１】
本発明は、画像処理装置とその制御方法、およびプログラムに関する。
【手続補正３】
【補正対象書類名】明細書
【補正対象項目名】０００８
【補正方法】変更
【補正の内容】
【０００８】
本発明に記載の画像処理装置は、駆動部の温度の上昇を抑制する降温制御の実行によってファクス送信における通信エラーが発生する可能性を減らしつつ、他の出力ジョブの実行時には駆動部の温度の上昇をファクス送信時よりも抑えることを目的とする。
【手続補正４】
【補正対象書類名】明細書
【補正対象項目名】００１０
【補正方法】変更
【補正の内容】
【００１０】
駆動部を駆動して、複数枚の原稿から原稿を１枚ずつ搬送する搬送手段と、
前記搬送手段によって搬送された原稿の画像を読み取る読取手段と、
前記読取手段によって原稿の画像を読み取ることで生成される画像データを外部の画像処理装置にファクス送信する送信手段と、
前記読取手段により原稿の画像を読み取ることで生成される画像データをファクス送信と異なる方法で出力する出力手段と、
前記複数枚の原稿の搬送が開始してから前記複数枚の原稿の読取が完了する前に、前記駆動部の駆動を所定の時間停止する搬送制御手段とを有し、
前記所定の時間は、前記読取手段によって前記原稿の画像を読み取りながら前記原稿を読み取ることによって生成される画像データを前記送信手段によってファクス送信する第１のジョブの実行中は、前記外部の画像処理装置が画像データを受信しない状態で回線が切断される基準時間より短い第１の時間であり、
前記所定の時間は、前記読取手段によって前記原稿の画像を読み取りながら前記原稿を読み取ることによって生成される画像データを前記出力手段によって出力する第２のジョブの実行中は、前記第１の時間より長い第２の時間であることを特徴とする。
【手続補正５】
【補正対象書類名】明細書
【補正対象項目名】００１１
【補正方法】変更
【補正の内容】
【００１１】
本発明に記載の画像処理装置は、駆動部の温度の上昇を抑制する降温制御の実行によってファクス送信における通信エラーが発生する可能性を減らしつつ、他の出力ジョブの実行時には駆動部の温度の上昇をファクス送信時よりも抑えることができる。
【手続補正書】
【提出日】令和2年9月26日(2020.9.26)
【手続補正１】
【補正対象書類名】特許請求の範囲
【補正対象項目名】全文
【補正方法】変更
【補正の内容】
【特許請求の範囲】
【請求項１】
アナログ信号をＮビット（Ｎは２以上の整数）のデジタル信号にＡＤ変換する逐次比較型ＡＤ変換器であって、
前記逐次比較型ＡＤ変換器は、
前記アナログ信号と、比較信号とが入力される比較器と、
前記比較信号を、前記Ｎビットのそれぞれに対応する電圧に変化させる第１デジタルアナログ変換器と、
前記比較信号を、前記Ｎビットのうちの下位ｎビットに対応する電圧に変化させる第２デジタルアナログ変換器と、
制御部とを備え、
前記第２デジタルアナログ変換器は前記ｎビットに対応するオフセットを前記比較信号に付与するオフセット付与部を備え、
前記制御部は、前記オフセット付与部が前記オフセットを前記比較信号に付与した状態において、前記比較器に、前記第１デジタルアナログ変換器によって電圧が変化される前記比較信号と前記アナログ信号との比較を複数回行わせ、前記複数回のそれぞれにおいて、同一のオフセット量の前記オフセットが前記オフセット付与部によって前記比較信号に付与されることを特徴とする逐次比較型ＡＤ変換器。
【請求項２】
前記第１デジタルアナログ変換器と前記第２デジタルアナログ変換器のそれぞれは、容量素子と前記容量素子に接続されたスイッチとを有し、
前記第１デジタルアナログ変換器の前記容量素子と、前記第２デジタルアナログ変換器の前記容量素子に、共通の電圧が入力されることを特徴とする請求項１に記載の逐次比較型ＡＤ変換器。
【請求項３】
前記アナログ信号に含まれるノイズ成分が対応するデジタル信号値を得て、前記オフセットが、前記デジタル信号値よりも大きいデジタル信号に対応する電圧であることを特徴とする請求項１または２に記載の逐次比較型ＡＤ変換器。
【請求項４】
入力された信号を値の異なる複数のゲインの中から選択されたゲインで増幅した信号を前記アナログ信号として前記逐次比較型ＡＤ変換器に出力する増幅器をさらに有し、
前記複数のゲインのうちの第１ゲインで前記増幅器が増幅する場合には、前記オフセットは第１ビット数に対応する電圧であり、
前記複数のゲインのうちの前記第１ゲインよりも大きい第２ゲインで前記増幅器が増幅する場合には、前記オフセットは前記第１ビット数よりも大きい第２ビット数に対応する電圧であることを特徴とする請求項１〜３のいずれか１項に記載の逐次比較型ＡＤ変換器。
【請求項５】
請求項１〜４のいずれか１項に記載の逐次比較型ＡＤ変換器と、
各々が画素信号を出力する複数の画素とを備える撮像装置であって、
前記逐次比較型ＡＤ変換器は、前記アナログ信号として、前記画素信号をＡＤ変換することを特徴とする撮像装置。
【請求項６】
複数の光電変換部を各々が備える複数の画素と、
逐次比較型ＡＤ変換器とを備える撮像装置であって、
前記複数の画素の各々は、前記複数の光電変換部のうちの一部のみの光電変換部の電荷に基づく第１信号と、前記複数の光電変換部の電荷に基づく第２信号とを出力し、
前記逐次比較型ＡＤ変換器は、前記第１信号に対し、少なくとも２回のＡＤ変換を行い、前記第２信号に対し、少なくとも２回のＡＤ変換を行い、
前記第１信号に対する２回目のＡＤ変換のビット数が、前記第２信号に対する２回目のＡＤ変換のビット数よりも少ないことを特徴とする撮像装置。
【請求項７】
前記複数の画素の各々は、ノイズレベルの信号であるノイズ信号を出力し、
前記逐次比較型ＡＤ変換器は、前記ノイズ信号に対し、少なくとも２回のＡＤ変換を行い、
前記ノイズ信号に対する２回目のＡＤ変換のビット数が、前記第１信号に対する２回目のＡＤ変換のビット数よりも少ないことを特徴とする請求項６に記載の撮像装置。
【請求項８】
前記複数の画素の各々は、前記複数の光電変換部のうちの一部のみの光電変換部の電荷に基づく第１信号と、前記複数の光電変換部の電荷に基づく第２信号とを出力し、
前記逐次比較型ＡＤ変換器は、前記第１信号に対し、少なくとも２回のＡＤ変換を行い、前記第２信号に対し、少なくとも２回のＡＤ変換を行い、
前記第１信号に対する２回目のＡＤ変換のビット数が、前記第２信号に対する２回目のＡＤ変換のビット数よりも少ないことを特徴とする請求項５〜７のいずれか１項に記載の撮像装置。
【請求項９】
前記複数の画素の各々は、ノイズレベルの信号であるノイズ信号を出力し、
前記逐次比較型ＡＤ変換器は、前記ノイズ信号に対し、少なくとも２回のＡＤ変換を行い、
前記ノイズ信号に対する２回目のＡＤ変換のビット数が、前記第１信号に対する２回目のＡＤ変換のビット数よりも少ないことを特徴とする請求項８に記載の撮像装置。
【請求項１０】
前記複数の画素が第１チップに配され、前記ＡＤ変換器が第２チップに配され、前記第１チップと前記第２チップとが積層された請求項５〜９のいずれか１項に記載の撮像装置。
【請求項１１】
遮光された光電変換部を有する遮光画素を前記第１チップがさらに有し、
前記遮光画素と、前記逐次比較型ＡＤ変換器が、平面視において、重なるように設けられていることを特徴とする請求項１０に記載の撮像装置。
【請求項１２】
請求項５〜１０のいずれか１項に記載の撮像装置と、
前記撮像装置が出力する信号を処理することによって画像を生成する信号処理部とを有することを特徴とする撮像システム。
【請求項１３】
請求項５〜１０のいずれか１項に記載の撮像装置と、
前記撮像装置からの信号に基づく視差画像から、対象物までの距離情報を取得する距離情報取得手段と、を有する移動体であって、
前記距離情報に基づいて前記移動体を制御する制御手段をさらに有することを特徴とする移動体。
【手続補正２】
【補正対象書類名】明細書
【補正対象項目名】０００５
【補正方法】変更
【補正の内容】
【０００５】
本発明は上記の課題を鑑みて為されたものであり、その一の態様は、アナログ信号をＮビット（Ｎは２以上の整数）のデジタル信号にＡＤ変換する逐次比較型ＡＤ変換器であって、前記逐次比較型ＡＤ変換器は、前記アナログ信号と、比較信号とが入力される比較器と、前記比較信号を、前記Ｎビットのそれぞれに対応する電圧に変化させる第１デジタルアナログ変換器と、前記比較信号を、前記Ｎビットのうちの下位ｎビットに対応する電圧に変化させる第２デジタルアナログ変換器と、制御部とを備え、前記第２デジタルアナログ変換器は前記ｎビットに対応するオフセットを前記比較信号に付与するオフセット付与部を備え、前記制御部は、前記オフセット付与部が前記オフセットを前記比較信号に付与した状態において、前記比較器に、前記第１デジタルアナログ変換器によって電圧が変化される前記比較信号と前記アナログ信号との比較を複数回行わせ、前記複数回のそれぞれにおいて、同一のオフセット量の前記オフセットが前記オフセット付与部によって前記比較信号に付与されることを特徴とする逐次比較型ＡＤ変換器である。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
第１の方向及び第２の方向に配置された複数の画素からなる画素ブロックと、
前記画素ブロックに属する前記複数の画素から読み出された信号を処理する信号処理部と、
前記複数の画素の読み出し順序を制御する読み出し部と、を有し、
前記読み出し部は、
前記画素ブロックに属する前記複数の画素のうち、前記第１の方向に並ぶ複数の画素からなる第１画素群について、前記第１の方向で読み出し、
前記画素ブロックに属する前記複数の画素のうち、前記第１の方向に並ぶ複数の画素であって且つ前記第１画素群と隣り合う複数の画素からなる第２画素群について、前記第１画素群を読み出した後に、前記第１の方向とは逆の方向である第２の方向で読み出すことを特徴とする撮像装置。
【請求項２】
複数の前記画素ブロックを有する第１の基板と、
複数の前記信号処理部を有する第２の基板と、を有し、
前記第１の基板と前記第２の基板は積層されていることを特徴とする請求項１に記載の撮像装置。
【請求項３】
第１の画素ブロックと、前記第１の画素ブロックと隣り合って配された第２の画素ブロックとを有し、
前記第１の画素ブロックの前記第１画素群と、前記第２の画素ブロックの前記第１画素群とは、対向して配されており、
前記第１の画素ブロックの前記第１の方向と、前記第２の画素ブロックの前記第１の方向は、逆の方向であることを特徴とする請求項２に記載の撮像装置。
【請求項４】
前記第１の方向および前記第２の方向は、行方向または列方向であることを特徴とする請求項１から３のいずれか１項に記載の撮像装置。
【請求項５】
前記複数の画素のそれぞれは、１つのマイクロレンズに対応して設けられた第１の光電変換部と第２の光電変換部とを有し、
前記第１の光電変換部と前記第２の光電変換部が隣り合う方向と、前記第１の方向とは同じ方向であることを特徴とする請求項１から４のいずれか１項に記載の撮像装置。
【請求項６】
前記信号処理部は、前記画素ブロックから出力されるアナログ信号をデジタル信号に変換するＡＤ変換部を有し、
前記ＡＤ変換部は、前記アナログ信号と比較信号とを比較する比較器を有し、
前記比較器の入力ノードには、クランプ容量が接続されており、
前記クランプ容量の一方のノードには、前記アナログ信号が入力され、
前記クランプ容量の他方のノードには、リセット信号が入力されることを特徴とする請求項１から５のいずれか１項に記載の撮像装置。
【請求項７】
前記信号処理部は、前記クランプ容量と前記画素ブロックとの間にサンプルホールド容量を有することを特徴とする請求項６に記載の撮像装置。
【請求項８】
前記クランプ容量に前記リセット信号が入力される期間について、
前記複数の画素のうち、最後に読み出される画素に関する前記リセット信号が入力される第１の期間は、前記最後に読み出される画素以外の画素に関する前記リセット信号が入力される第２の期間よりも長いことを特徴とする請求項６または７に記載の撮像装置。
【請求項９】
前記クランプ容量に前記リセット信号が入力される回数について、
前記複数の画素のうち、最後に読み出される画素の後に入力される前記リセット信号の回数は、前記最後に読み出される画素以外の画素の後に入力される前記リセット信号の回数よりも多いことを特徴とする請求項６または７に記載の撮像装置。
【請求項１０】
前記画素ブロックに属する前記複数の画素のうち、前記第１の方向に並ぶ複数の画素であって且つ前記第２画素群と隣り合う複数の画素からなる第３画素群について、前記第２画素群を読み出した後に、前記第１の方向で読み出すことを特徴とする請求項１乃至９のいずれか１項に記載の撮像装置。
【請求項１１】
請求項１から１０のいずれか１項に記載の撮像装置と、
前記撮像装置が出力する信号を処理することによって画像を生成する信号処理部と、を有することを特徴とする撮像システム。
【請求項１２】
請求項１から１０のいずれか１項に記載の撮像装置と、
前記撮像装置からの信号に基づく視差画像から、対象物までの距離情報を取得する距離情報取得手段と、を有する移動体であって、
前記距離情報に基づいて前記移動体を制御する制御手段を更に有することを特徴とする移動体。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
受信したコマンドに基づいて制御を行う制御手段と、
前記制御手段と電気的に接続可能な電子部品と、を備え、
前記制御手段は、
前記コマンドとして複数のテストコマンドの組み合わせにより、前記電子部品の状態を検査する検査処理を実行可能であり、
前記検査処理として、データの書込と読出が可能な記憶領域に対する検査を実行可能であり、
前記検査処理の実行中は、他の処理を実行せず、
前記複数のテストコマンドの組み合わせは、遊技の進行に伴い受信する遊技用コマンドの個数よりも多い個数のコマンドの組み合わせである、
ことを特徴とする遊技機。
【手続補正２】
【補正対象書類名】明細書
【補正対象項目名】０００６
【補正方法】変更
【補正の内容】
【０００６】
（Ａ）上記目的を達成するために、本願の請求項に係る遊技機は、遊技を行うことが可能な遊技機であって、受信したコマンドに基づいて制御を行う制御手段と、前記制御手段と電気的に接続可能な電子部品と、を備え、前記制御手段は、前記コマンドとして複数のテストコマンドの組み合わせにより、前記電子部品の状態を検査する検査処理を実行可能であり、前記検査処理として、データの書込と読出が可能な記憶領域に対する検査を実行可能であり、前記検査処理の実行中は、他の処理を実行せず、前記複数のテストコマンドの組み合わせは、遊技の進行に伴い受信する遊技用コマンドの個数よりも多い個数のコマンドの組み合わせである、ことを特徴とする。
（１）上記目的を達成するために、他の遊技機は、遊技を行うことが可能な遊技機（例えばパチンコ遊技機１など）であって、受信したコマンドに基づいて制御を行う制御手段（例えばＣＰＵ６２ＡＫ１０１など）と、前記制御手段と電気的に接続可能な電子部品（例えば外部ＲＡＭ６２ＡＫ１２１など）とを備え、前記制御手段は、前記コマンドとして複数のテストコマンドの組み合わせにより、前記電子部品の状態を検査する検査処理（例えば外部ＲＡＭチェック処理、高負荷チェック処理など）を実行可能であり（例えば図４８を参照）、前記検査処理の実行中は、他の処理を実行しない（例えば図４７、図５１〜図５４を参照）。
このような構成によれば、適切な検査が可能になる。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
受信したコマンドに基づいて制御を行う制御手段と、
前記制御手段と電気的に接続可能な電子部品と、を備え、
前記制御手段は、
前記コマンドとして複数のテストコマンドの組み合わせにより、前記電子部品の状態を検査する検査処理を実行可能であり、
前記検査処理として、データの書込と読出が可能な記憶領域に対する検査を実行可能であり、
前記複数のテストコマンドの組み合わせに応じて、前記検査処理が異なり、
前記複数のテストコマンドの組み合わせは、遊技の進行に伴い受信する遊技用コマンドの個数よりも多い個数のコマンドの組み合わせである、
ことを特徴とする遊技機。
【手続補正２】
【補正対象書類名】明細書
【補正対象項目名】０００６
【補正方法】変更
【補正の内容】
【０００６】
（Ａ）上記目的を達成するために、本発明に係る遊技機は、遊技を行うことが可能な遊技機であって、受信したコマンドに基づいて制御を行う制御手段と、前記制御手段と電気的に接続可能な電子部品と、を備え、前記制御手段は、前記コマンドとして複数のテストコマンドの組み合わせにより、前記電子部品の状態を検査する検査処理を実行可能であり、前記検査処理として、データの書込と読出が可能な記憶領域に対する検査を実行可能であり、前記複数のテストコマンドの組み合わせに応じて、前記検査処理が異なり、前記複数のテストコマンドの組み合わせは、遊技の進行に伴い受信する遊技用コマンドの個数よりも多い個数のコマンドの組み合わせである、ことを特徴とする。
（１）上記目的を達成するために、他の遊技機は、遊技を行うことが可能な遊技機（例えばパチンコ遊技機１など）であって、受信したコマンドに基づいて制御を行う制御手段（例えばＣＰＵ６２ＡＫ１０１など）と、前記制御手段と電気的に接続可能な電子部品（例えば外部ＲＡＭ６２ＡＫ１２１など）とを備え、前記制御手段は、前記コマンドとして複数のテストコマンドの組み合わせにより、前記電子部品の状態を検査する検査処理（例えば外部ＲＡＭチェック処理、高負荷チェック処理など）を実行可能であり（例えば図４８（Ａ）〜（Ｄ）を参照）、前記複数のテストコマンドの組み合わせに応じて、前記検査処理が異なる。
このような構成によれば、適切な検査が可能になる。
【手続補正書】
【提出日】令和2年6月17日(2020.6.17)
【手続補正１】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行し、当該ゲームの結果が特別結果となった場合に、遊技者に遊技価値を付与する特別遊技状態を発生可能な遊技機において、
遊技の制御を行う制御手段と、
前記ゲームの抽選に用いる確率値が割り当てられた確率設定値を、操作部の操作により設定可能とする設定手段と、を備え、
前記設定手段は、
前記操作部が操作されて所定状態とされることに基づき、前記確率設定値の確認が可能な確認状態とすることが可能であり、
前記制御手段により制御される遊技の状態が、所定の状態である場合には、前記操作部が前記所定状態であっても前記確認状態としないことを特徴とする。
【手続補正２】
【補正対象書類名】特許請求の範囲
【補正対象項目名】全文
【補正方法】変更
【補正の内容】
【特許請求の範囲】
【請求項１】
所定条件の成立に基づきゲームを実行し、当該ゲームの結果が特別結果となった場合に、遊技者に遊技価値を付与する特別遊技状態を発生可能な遊技機において、
遊技の制御を行う制御手段と、
前記ゲームの抽選に用いる確率値が割り当てられた確率設定値を、操作部の操作により設定可能とする設定手段と、を備え、
前記設定手段は、
前記操作部が操作されて所定状態とされることに基づき、前記確率設定値の確認が可能な確認状態とすることが可能であり、
前記制御手段により制御される遊技の状態が、所定の状態である場合には、前記操作部が前記所定状態であっても前記確認状態としないことを特徴とする遊技機。